(57)【特許請求の範囲】
【請求項１】
画像表示制御装置であって、
各々がアイコンを含む複数のページ画像を画面上に表示する第１表示制御部と、
前記画面上に表示されているアイコンに対するユーザの操作を示す操作信号を受信する受信部と、
前記ページ画像上に表示されているアイコンであり、かつ１以上のアイコンを下位の階層として含むフォルダアイコンを選択するための操作信号を前記受信部が受信した場合に、選択されたフォルダアイコンに含まれる前記１以上のアイコンを示すフォルダ内アイコン画像を、前記複数のページ画像と共に前記画面上に表示する第２表示制御部と
を備え、
前記複数のページ画像の各々には、アイコンが表示され得る領域である複数のアイコン表示領域が設定されており、
前記画像表示制御装置は、さらに、
アイコンが表示されていないアイコン表示領域を選択するための操作信号を前記受信部が受信した場合に、選択された前記アイコン表示領域にフォルダアイコンを表示する第３表示制御部を備える
画像表示制御装置。
【請求項２】
各々がアイコンを含む複数のページ画像を画面上に表示する第１表示制御部と、
前記画面上に表示されているアイコンに対するユーザの操作を示す操作信号を受信する受信部と、
前記ページ画像上に表示されているアイコンであり、かつ１以上のアイコンを下位の階層として含むフォルダアイコンを選択するための操作信号を前記受信部が受信した場合に、選択されたフォルダアイコンに含まれる前記１以上のアイコンを示すフォルダ内アイコン画像を、前記複数のページ画像と共に前記画面上に表示する第２表示制御部と、
前記画面上に表示することができるアイコンの一覧を示すアイコン一覧画像を前記画面上に表示する第４表示制御部と、
前記複数のページ画像内および前記アイコン一覧画像内に表示されているアイコンのうち、一のアイコンを選択した後に他の一のアイコンを選択するための操作信号を、前記受信部が受信した場合に、選択された２つのアイコンの前記画面上での表示位置を入れ替える位置変更部とを備える
画像表示制御装置。
【請求項３】
各々がアイコンを含む複数のページ画像を画面上に表示する第１表示制御部と、
前記画面上に表示されているアイコンに対するユーザの操作を示す操作信号を受信する受信部と、
前記ページ画像上に表示されているアイコンであり、かつ１以上のアイコンを下位の階層として含むフォルダアイコンを選択するための操作信号を前記受信部が受信した場合に、選択されたフォルダアイコンに含まれる前記１以上のアイコンを示すフォルダ内アイコン画像を、前記複数のページ画像と共に前記画面上に表示する第２表示制御部と
を備え、
前記フォルダ内アイコン画像に含まれるフォルダアイコンの名称を選択するための操作信号を前記受信部が受信した場合に、前記第２表示制御部は、さらに、名称の入力を受け付けるための画像を前記画面上に表示し、前記受信部が受信した操作信号により特定されるユーザが入力した名称を、名称が選択されたフォルダアイコンの名称として設定する
画像表示制御装置。
【請求項４】
画像表示制御方法であって、
各々がアイコンを含む複数のページ画像を画面上に表示する第１表示制御ステップと、
前記画面上に表示されているアイコンに対するユーザの操作を示す操作信号を受信する受信ステップと、
前記ページ画像上に表示されているアイコンであり、かつ１以上のアイコンを下位の階層として含むフォルダアイコンを選択するための操作信号が前記受信ステップで受信された場合に、選択されたフォルダアイコンに含まれる前記１以上のアイコンを示すフォルダ内アイコン画像を、前記複数のページ画像と共に前記画面上に表示する第２表示制御ステップと
を含み、
前記複数のページ画像の各々には、アイコンが表示され得る領域である複数のアイコン表示領域が設定されており、
前記画像表示制御方法は、さらに、
アイコンが表示されていないアイコン表示領域を選択するための操作信号を受信した場合に、選択された前記アイコン表示領域にフォルダアイコンを表示する第３表示制御ステップを含む
画像表示制御方法。
【請求項５】
請求項４に記載の画像表示制御方法をコンピュータに実行させるためのプログラム。
【発明の詳細な説明】
【技術分野】
【０００１】
本開示は、画面上のアイコンの表示を制御する画像表示制御装置に関する。
【背景技術】
【０００２】
従来、アイコンと、複数のアイコンを含むグループアイコンとを同一の第１画面上に表示する情報提供装置が提案されている（例えば、特許文献１参照）。この情報提供装置では、ユーザがグループアイコンを選択すると画面が第１画面から第２画面に切り替わり、グループアイコンに含まれる複数のアイコンが第２画面上に表示される。このようなグループアイコンを用いることで、アイコンを階層化して管理することができる。
【先行技術文献】
【特許文献】
【０００３】
【特許文献１】国際公開第２０００／０３３５７１号
【発明の概要】
【発明が解決しようとする課題】
【０００４】
本開示は、ユーザが効率的にアイコンの編集作業を行うことができる画像表示制御装置を提供する。
【課題を解決するための手段】
【０００５】
本開示における画像表示制御装置は、各々がアイコンを含む複数のページ画像を画面上に表示する第１表示制御部と、画面上に表示されているアイコンに対するユーザの操作を示す操作信号を受信する受信部と、画面上に表示されているアイコンであり、かつ１以上のアイコンと対応付けられているアイコンであるフォルダアイコンを選択するための操作信号を受信部が受信した場合に、選択されたフォルダアイコンに対応付けられている１以上のアイコンを示すフォルダ内アイコン画像を、複数のページ画像と共に画面上に表示する第２表示制御部とを備える。
【０００６】
なお、本開示は、このような特徴的な処理部を備える画像表示制御装置として実現することができるだけでなく、画像表示制御装置に含まれる特徴的な処理部が実行する処理をステップとする画像表示制御方法として実現することができる。また、画像表示制御装置に含まれる特徴的な処理部としてコンピュータを機能させるためのプログラムまたは画像表示制御方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読取可能な非一時的な記録媒体やインターネット等の通信ネットワークを介して流通させることができるのは、言うまでもない。
【発明の効果】
【０００７】
本開示によると、ユーザが効率的にアイコンの編集作業を行うことができる画像表示制御装置を提供することができる。
【図面の簡単な説明】
【０００８】
【図１】図１は、実施の形態に係る画像表示システムの構成を示すブロック図である。
【図２】図２は、リモコンの外観図である。
【図３】図３は、初期状態において表示部に表示される操作画面の一例を示す図である。
【図４】図４は、アイコンの編集作業用の画面である編集画面の一例を示す図である。
【図５Ａ】図５Ａは、編集画面が表示されている状態における画像表示制御装置が実行する処理を示すフローチャートである。
【図５Ｂ】図５Ｂは、編集画面が表示されている状態における画像表示制御装置が実行する処理を示すフローチャートである。
【図５Ｃ】図５Ｃは、編集画面が表示されている状態における画像表示制御装置が実行する処理を示すフローチャートである。
【図６】図６は、ページ画像の一部分を示す図である。
【図７】図７は、名称入力画像の一例を示す図である。
【図８】図８は、アイコンのハイライト表示の一例を示す図である。
【図９】図９は、フォルダ内アイコン画像が非表示の状態の編集画面の一例を示す図である。
【図１０】図１０は、フォルダアイコン上にカーソルがある状態の画面の一例を示す図である。
【図１１】図１１は、フォルダ内アイコン画像が表示された状態の画面の一例を示す図である。
【図１２】図１２は、アイコンの移動について説明するための図である。
【図１３】図１３は、フォルダ内アイコン画像のフォルダアイコンの名称部分にカーソルがある状態の画面の一例を示す図である。
【図１４】図１４は、名称入力画像の一例を示す図である。
【発明を実施するための形態】
【０００９】
本開示における画像表示制御装置は、各々がアイコンを含む複数のページ画像を画面上に表示する第１表示制御部と、画面上に表示されているアイコンに対するユーザの操作を示す操作信号を受信する受信部と、画面上に表示されているアイコンであり、かつ１以上のアイコンと対応付けられているアイコンであるフォルダアイコンを選択するための操作信号を受信部が受信した場合に、選択されたフォルダアイコンに対応付けられている１以上のアイコンを示すフォルダ内アイコン画像を、複数のページ画像と共に画面上に表示する第２表示制御部とを備える。
【００１０】
この構成によると、複数のページ画像とフォルダ内アイコン画像とが共に画面上に表示される。このため、階層の異なるアイコンを同一画面上に表示することができる。よって、ユーザは、効率的にアイコンの編集作業を行うことができる。
【００１１】
例えば、複数のページ画像の各々には、アイコンが表示され得る領域である複数のアイコン表示領域が設定されており、画像表示制御装置は、さらに、アイコンが表示されていないアイコン表示領域を選択するための操作信号を受信部が受信した場合に、選択されたアイコン表示領域にフォルダアイコンを表示する第３表示制御部を備える。
【００１２】
この構成によると、ユーザはカーソル移動キーを操作することによりアイコンが表示されていないアイコン表示領域にカーソルを移動させ、決定キーを押すだけでフォルダアイコンを作成することができる。このため、限られたキーしか備えていないリモコンなどの入力装置を用いて効率的にアイコンの編集作業を行うことができる。
【００１３】
また、第３表示制御部は、さらに、ユーザによる名称の入力を受け付けるための画像を画面上に表示し、受信部が受信した操作信号により特定されるユーザが入力した名称を、選択されたアイコン表示領域に表示したフォルダアイコンの名称として設定しても良い。
【００１４】
この構成によると、フォルダアイコンに名称を設定することができる。
【００１５】
例えば、上述の画像表示制御装置は、さらに、画面上に表示することができるアイコンの一覧を示すアイコン一覧画像を画面上に表示する第４表示制御部を備える。
【００１６】
また、アイコン一覧画像内のいずれかのアイコンを選択するための操作信号を受信部が受け付け、かつ、選択されたアイコンがフォルダアイコンに対応付けられている場合に、第１表示制御部は、さらに、複数のページ画像内の選択されたアイコンに対応付けられているフォルダアイコンをハイライト表示し、第２表示制御部は、さらに、ハイライト表示されたフォルダアイコンのフォルダ内アイコン画像を表示しても良い。
【００１７】
この構成によると、ユーザがアイコン一覧画像内のアイコンを選択することにより、そのアイコンを含むフォルダアイコンがハイライト表示される。このため、ユーザは、そのアイコンがどのページ画像のどのフォルダアイコンに含まれているのかを簡単に知ることができる。
【００１８】
例えば、上述の画像表示制御装置は、さらに、複数のページ画像内およびアイコン一覧画像内に表示されているアイコンのうち、一のアイコンを選択した後に他の一のアイコンを選択するための操作信号を、受信部が受信した場合に、選択された２つのアイコンの画面上での表示位置を入れ替える位置変更部を備える。
【００１９】
この構成によると、２つのアイコンを連続して選択するという簡単な操作により２つのアイコンの表示位置を変更することができる。このため、限られたキーしか備えていないリモコンなどの入力装置を用いて効率的にアイコンの表示位置を変更することができる。
【００２０】
また、位置変更部は、さらに、複数のページ画像内およびアイコン一覧画像内に表示されているアイコンのうち一のアイコンを選択した後に、複数のページ画像内およびアイコン一覧画像内のアイコンが表示され得る領域であるアイコン表示領域のうちアイコンが表示されていない一のアイコン表示領域を選択するための操作信号を、受信部が受信した場合に、選択された一のアイコンを選択された一のアイコン表示領域へ画面上で移動させても良い。
【００２１】
この構成によると、アイコンを選択した後に空領域を選択するという簡単な操作によりアイコンを移動させることができる。このため、限られたキーしか備えていないリモコンなどの入力装置を用いて効率的にアイコンの表示位置を変更することができる。
【００２２】
また、位置変更部は、さらに、フォルダ内アイコン画像が表示されている状態において複数のページ画像内に表示されている一のアイコンを一定時間以上選択し続ける操作を示す操作信号を受信部が受信した場合に、画面上で一のアイコンをフォルダ内アイコン画像内に移動させても良い。
【００２３】
この構成によると、カーソル移動キーを操作してページ画像内の一のアイコンにカーソルを移動させた後に決定キーを長押しすることにより、その一のアイコンをフォルダ内アイコン画像内に移動させることができる。このため、限られたキーしか備えていないリモコンなどの入力装置を用いて効率的にアイコンの表示位置を変更することができる。
【００２４】
また、位置変更部は、さらに、フォルダ内アイコン画像内の一のアイコンを一定時間以上選択し続ける操作を示す操作信号を受信部が受信した場合に、画面上で一のアイコンを複数のページ画像内のアイコンが表示されうる領域であるアイコン表示領域のうちアイコンが表示されていないアイコン表示領域に移動させても良い。
【００２５】
この構成によると、カーソル移動キーを操作してフォルダ内アイコン画像内の一のアイコンにカーソルを移動させた後に決定キーを長押しすることにより、その一のアイコンをページ画像内の空領域に移動させることができる。このため、限られたキーしか備えていないリモコンなどの入力装置を用いて効率的にアイコンの表示位置を変更することができる。
【００２６】
また、フォルダ内アイコン画像に含まれるフォルダアイコンの名称を選択するための操作信号を受信部が受信した場合に、第２表示制御部は、さらに、名称の入力を受け付けるための画像を画面上に表示し、受信部が受信した操作信号により特定されるユーザが入力した名称を、名称が選択されたフォルダアイコンの名称として設定しても良い。
【００２７】
この構成によると、フォルダアイコンの名称を変更することができる。
【００２８】
また、上述の画像表示制御装置は、さらに、画面上に表示されている一のフォルダアイコンを一定時間以上選択し続ける操作を示す操作信号を受信部が受信した場合に、一のフォルダアイコンを画面上から削除する削除制御部を備えても良い。
【００２９】
この構成によると、カーソル移動キーを操作して一のフォルダアイコンにカーソルを移動させた後に決定キーを長押しすることにより、その一のフォルダアイコンを削除することができる。このため、限られたキーしか備えていないリモコンなどの入力装置を用いて効率的にフォルダアイコンを削除することができる。
【００３０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００３１】
なお、発明者は、当業者が本開示を十分に理解するために添付図面および以下の説明を提供するのであって、これらによって請求の範囲に記載の主題を限定することを意図するものではない。
【００３２】
［１−１．構成］
図１は、実施の形態に係る画像表示システム１０の構成を示すブロック図である。
【００３３】
画像表示システム１０は、アイコンを含む画像を表示し、アイコンを編集するためのシステムであり、表示部３０と、画像表示制御装置２０と、リモコン３１とを含む。
【００３４】
表示部３０は、ディスプレイユニット等より構成され、画面上に画像を表示する。
【００３５】
画像表示制御装置２０は、アイコンを含む画像を表示部３０に表示するための制御を行う。より具体的には、画像表示制御装置２０は、画像表示制御装置２０で実行されるアプリケーションソフトウェア（以下、単に「アプリケーション」と言う。）をネットワーク接続部２９を介してダウンロードし、ダウンロードされたアプリケーションを示すアイコンを表示部３０の画面上に表示するための制御を行う。また、画像表示制御装置２０は、リモコン３１を用いたユーザの操作に従って、アイコンを作成したりアイコンの位置を移動させたりするアイコンの編集作業を行う。画像表示制御装置２０は、具体的には、アプリケーションを実行することができるＨＤＤレコーダ等の録画機器、テレビ、または携帯情報端末である。
【００３６】
リモコン３１は、画像表示制御装置２０に対してユーザの操作を示す操作信号を無線送信する。
【００３７】
図２は、リモコン３１の外観図である。
【００３８】
リモコン３１は、テレビのチャンネルを操作するボタン、および録画機器を操作するボタンの他に、カーソルを移動させるためのカーソル移動キー３２と、操作を確定させるための決定キー３３とを含む。
【００３９】
画像表示制御装置２０は、ネットワーク接続部２９と、受信部２８と、制御部２１とを含む。
【００４０】
ネットワーク接続部２９は、インターネットまたはＬＡＮ（Ｌｏｃａｌ  Ａｒｅａ  Ｎｅｔｗｏｒｋ）等のネットワークに画像表示制御装置２０を接続するためのネットワークインタフェースカード等の通信機器である。
【００４１】
受信部２８は、リモコン３１から送信される操作信号を受信する。具体的には、受信部２８は、表示部３０の画面上に表示されているアイコンに対するユーザの操作を示す操作信号を、リモコン３１から受信する。
【００４２】
制御部２１は、ネットワーク接続部２９がダウンロードしたアプリケーションを示すアイコンを表示部３０に表示したり、受信部２８が受信した操作信号に従ってアイコンの編集作業を行ったりする。
【００４３】
制御部２１は、第１表示制御部２２と、第２表示制御部２３と、第３表示制御部２４と、第４表示制御部２５と、位置変更部２６と、削除制御部２７とを含む。
【００４４】
第１表示制御部２２は、各々がアイコンを含む複数のページ画像を表示部３０の画面上に表示する。
【００４５】
第２表示制御部２３は、アイコンの一種であるフォルダアイコンに対応付けられている１以上のアイコンを示すフォルダ内アイコン画像を、表示部３０の画面上に表示する。
【００４６】
第３表示制御部２４は、アイコンが表示されていないアイコン表示領域を選択するための操作信号を受信部２８が受信した場合に、選択されたアイコン表示領域にフォルダアイコンを表示する。なお、アイコン表示領域とは、各ページ画像内に設けられているアイコンが表示され得る領域である。
【００４７】
第４表示制御部２５は、表示部３０の画面上に表示することができるアイコンの一覧を示すアイコン一覧画像を画面上に表示する。
【００４８】
位置変更部２６は、表示部３０の画面上でアイコンの表示位置を変更する。
【００４９】
削除制御部２７は、表示部３０の画面上に表示されているアイコンを画面上から削除する。
【００５０】
以下、図面を参照しながら、画像表示制御装置２０の動作について詳細に説明する。
【００５１】
図３は、初期状態において制御部２１が表示部３０に表示する画面（以下、「操作画面」と言う。）の一例を示す図である。操作画面には、あるページに含まれるアイコン１０１〜１０８が表示される。各アイコンはアプリケーションに対応付けられている。例えば、アイコン１０２〜１０４は、ゲームのアプリケーションに対応付けられている。また、アイコン１０１は、アイコンの編集作業を行うためのアプリケーションに対応付けられている。
【００５２】
なお、操作画面上に表示されているページを切り替えるためには、ユーザは、リモコン３１のカーソル移動キー３２を操作してカーソルをボタン１１１またはボタン１１２の位置に移動させ、決定キー３３を押す。制御部２１は、そのような操作の操作信号に従って、ページの切り替えを行い、切り替え後のページに含まれるアイコンを表示部３０に表示する。つまり、ユーザは、ページを切り替えながら所望のアイコンを探すことで、所望のアプリケーションを実行させることができる。
【００５３】
アイコン１０１が示すアプリケーションをユーザが実行させると、制御部２１は、図４に示すようなアイコンの編集作業用の画面（以下、「編集画面」と言う。）を、表示部３０に表示する。つまり、第１表示制御部２２は、編集画面上にページ画像２０４〜２０６を表示し、第４表示制御部２５は、編集画面上にアイコン一覧画像２０１を表示する。ページ画像２０４には、アイコン２０７〜２１３が含まれる。ページ画像２０５およびページ画像２０６にも、ページ画像２０４と同様に複数のアイコンが含まれる。図４には、３つのページ画像のみを示している。４ページ目以降のページ画像を表示する場合には、ユーザは、リモコン３１のカーソル移動キー３２を下方向に操作する。カーソルがページ画像２０６の一番下のアイコンを指している状態でユーザがカーソル移動キー３２を下方向に操作すると、第１表示制御部２２は、ページ画像をスクロール表示させる。これにより、４ページ目以降のページ画像を表示させることができる。なお、スクロール表示させることにより編集画面上から消えたページ画像を再度表示させるためには、同様にカーソル移動キー３２を上方向に操作することでページ画像をスクロール表示させることができる。
【００５４】
アイコン一覧画像２０１は、アイコン２０２と、そのアイコン２０２をページ画像上に表示させるか否かを切り替えるためのチェックボックス２０３とを含む。アイコン一覧画像２０１には、画像表示制御装置２０に登録されている全てのアイコンが表示される。また、チェックボックス２０３にチェックをつけることにより、チェックボックス２０３に対応するアイコン２０２がいずれかのページ画像上に表示される。例えば、アイコン２０２のチェックボックス２０３にチェックをつけることにより、ページ画像２０４にアイコン２０９が表示される。チェックボックス２０３のチェックの切り替えは、以下のように行われる。つまり、ユーザがリモコン３１のカーソル移動キー３２を操作することによりカーソルをチェックボックス２０３およびアイコン２０２の位置に移動させ、決定キー３３を押すことで、トグル動作によりチェックのＯＮ／ＯＦＦが切り替えられる。なお、アイコン一覧画像２０１に表示されていないアイコンを表示するためには、ページ画像の場合と同様に、カーソル移動キー３２を上下方向に操作すれば良い。これにより、アイコン一覧画像２０１中でアイコンをスクロール表示させることができる。
【００５５】
［１−２．動作］
図５Ａ〜図５Ｃは、このような編集画面が表示されている状態における画像表示制御装置２０が実行する処理を示すフローチャートである。
【００５６】
以下、図５Ａ〜図５Ｃに示すフローチャートと編集画面例とを参照しながら、フォルダの編集作業について説明する。
【００５７】
なお、画像表示制御装置２０は、スワップモードと非スワップモードと呼ばれる状態のうちいずれかの状態を取るものとする。スワップモードおよび非スワップモードについては後述するが、初期状態では画像表示制御装置２０は非スワップモードを取るものとする。
【００５８】
受信部２８は、リモコン３１からの操作信号を受信する（Ｓ２）。
【００５９】
受信した操作信号がカーソル移動キー３２を押すことによりリモコン３１から送信された操作信号である場合には（Ｓ４でＹＥＳ）、制御部２１は、編集画面上で押された方向にカーソルを移動させる（Ｓ６）。
【００６０】
（１．フォルダの作成）
図６は、ページ画像２０４の一部分を示す図である。例えば、アイコンが表示されていないアイコン表示領域にカーソル３０１が移動することで、その位置にフォーカスが当たると（Ｓ８でＹＥＳ）、第３表示制御部２４は、フォーカスが当たっているアイコン表示領域に半透明のフォルダアイコンを表示させる（Ｓ１０）。
【００６１】
その状態で、ユーザがリモコン３１の決定キー３３を押すと（Ｓ２０でＹＥＳ、Ｓ２４でＮＯ、Ｓ３８でＮＯ、Ｓ４４でＹＥＳ）、第３表示制御部２４は、図７に示すような名称入力画像３１１を画面上に表示する。ユーザは、名称入力画像３１１上でカーソル移動キー３２および決定キー３３を操作することによりフォルダアイコンに名称を付けることができ、第３表示制御部２４は、名称が付けられたフォルダアイコンを、フォーカスが当たっているアイコン表示領域に表示する（Ｓ４６）。このような処理により、新規のフォルダアイコンを作成することができる。
【００６２】
（２．アイコンのハイライト表示）
図８は、アイコンのハイライト表示の一例を示す図である。例えば、ユーザがリモコン３１のカーソル移動キー３２を操作して、アイコン一覧画像２０１中のアイコンにカーソル４０１を移動させることで、その位置にフォーカスが当たったとすると（Ｓ１２でＹＥＳ）、第１表示制御部２２は、フォーカスが当たっているアイコンが含まれているフォルダアイコン４０２をハイライト表示させる。例えば、フォルダアイコン４０２の背景を他のアイコンの背景よりも明るく表示する。また、第２表示制御部２３は、フォルダ内アイコン画像４０３を表示させ、フォルダアイコン４０２に含まれるアイコンをフォルダ内アイコン画像４０３上に表示する。その上で、第２表示制御部２３は、カーソル４０１の位置にあるアイコンと同じアイコン４０４をハイライト表示する（Ｓ１４）。例えば、アイコン４０４の背景を他のアイコンの背景よりも明るく表示する。なお、ハイライト表示する対象のフォルダアイコン４０２が画面上に表示されていない場合には、第１表示制御部２２は、ページ画像をスクロールさせることにより対象のフォルダアイコン４０２を画面上にハイライト表示する。アイコン４０４がフォルダ内アイコン画像４０３上に表示されていない場合も同様に、第２表示制御部２３がアイコンをスクロールさせることにより対象のアイコン４０４をフォルダ内アイコン画像４０３上にハイライト表示する。
【００６３】
図８の状態から、ユーザがリモコン３１のカーソル移動キー３２を左方向に操作すると（Ｓ４でＹＥＳ）、図９のようにカーソル４０５がページ画像２０４の左上のアイコンの位置に移動する（Ｓ６）。また、第２表示制御部２３は、フォルダ内アイコン画像４０３を非表示にする（Ｓ８でＮＯ、Ｓ１２でＮＯ、Ｓ１６でＹＥＳ、Ｓ１８）。
【００６４】
（３．フォルダアイコンの展開）
図１０は、フォルダアイコン上にカーソル５０１がある状態を示している。例えば、図９の状態から、ユーザがリモコン３１のカーソル移動キー３２を右方向に操作すると（Ｓ４でＹＥＳ）、図１０のようにカーソル５０１が右方向に移動する（Ｓ６）。この状態でユーザがリモコン３１の決定キー３３を押したとすると（Ｓ２０でＹＥＳ、Ｓ２４でＮＯ、Ｓ３８でＮＯ、Ｓ４４でＮＯ、Ｓ４８でＹＥＳ）、図１１に示すように、第２表示制御部２３は、フォルダ内アイコン画像４０３を画面上に表示する（Ｓ５０）。フォルダ内アイコン画像４０３は、カーソル５０１の位置にあるフォルダアイコンが含むアイコン４０４〜４０８を含む。また、第１表示制御部２２は、フォルダ内アイコン画像４０３の表示領域を確保するためにページ画像２０４〜２０６の表示位置を所定画素だけ左にずらす。
【００６５】
（４．アイコンの移動）
図１２は、アイコンの移動について説明するための図である。
【００６６】
まず、２つのアイコンの表示位置の入れ替えについて説明する。２つのアイコンの表示位置の入れ替えは一のアイコンを選択した後に他のアイコンを選択することにより実行される。例えば、ページ画像２０５上のアイコン６０４とアイコン６０５との表示位置の入れ替えについて説明する。ユーザは、リモコン３１のカーソル移動キー３２を操作してアイコン６０４上にカーソルを移動させ、決定キー３３を押す（Ｓ２０でＹＥＳ、Ｓ２４でＮＯ、Ｓ３８でＹＥＳ）。すると、画像表示制御装置２０はスワップモードに遷移する（Ｓ４０）。スワップモードとは、移動対象となるアイコンが選択されている状態を示す。また、画像表示制御装置２０が取りうる他のモードとして非スワップモードがあるが、非スワップモードは、移動対象となるアイコンが選択されていない状態を示す。スワップモードに遷移した後、位置変更部２６は、選択されたアイコン６０４を第１アイコンとして設定する（Ｓ４２）。次に、ユーザは、リモコン３１のカーソル移動キー３２を操作してアイコン６０５上にカーソルを移動させ、決定キー３３を押す（Ｓ２０でＹＥＳ、Ｓ２４でＹＥＳ、Ｓ２６でＹＥＳ）。すると、位置変更部２６は、選択されたアイコン６０５を第２アイコンとして設定し（Ｓ２８）、第１アイコンとして設定されたアイコン６０４と第２アイコンとして設定されたアイコン６０５との表示位置の入れ替えを画面上で行う（Ｓ３０）。その後、画像表示制御装置２０は、非スワップモードへ遷移する（Ｓ３２）。このような操作により２つのアイコンの表示位置を入れ替えることができる。なお、入れ替えることができるアイコンは通常のアイコンに限られずフォルダアイコンであっても良い。
【００６７】
以下、フォルダアイコン６０２とアイコン６０５との表示位置の入れ替えについて説明する。例えば、フォルダアイコン６０２を選択した後にアイコン６０５を選択することにより２つのアイコンの表示位置を入れ替える場合について説明する。フォルダ内アイコン画像４０３が表示されていない状態で、ユーザがリモコン３１を操作し、フォルダアイコン６０２上にカーソルを移動させ、決定キー３３を押すと（Ｓ２０でＹＥＳ、Ｓ２４でＮＯ、Ｓ３８でＮＯ、Ｓ４４でＮＯ、Ｓ４８でＹＥＳ）、図１２に示すように第２表示制御部２３は、フォルダ内アイコン画像４０３を表示させる（Ｓ５０）。この状態で、ユーザが、リモコン３１の決定キー３３を再度押すと（Ｓ２０でＹＥＳ、Ｓ２４でＮＯ、Ｓ３８でＹＥＳ）、画像表示制御装置２０はスワップモードに遷移する（Ｓ４０）。スワップモードに遷移した後、位置変更部２６は、選択されたフォルダアイコン６０２を第１アイコンとして設定する（Ｓ４２）。次に、ユーザは、リモコン３１のカーソル移動キー３２を操作してアイコン６０５上にカーソルを移動させ、決定キー３３を押す（Ｓ２０でＹＥＳ、Ｓ２４でＹＥＳ、Ｓ２６でＹＥＳ）。すると、位置変更部２６は、選択されたアイコン６０５を第２アイコンとして設定し（Ｓ２８）、第１アイコンとして設定されたフォルダアイコン６０２と第２アイコンとして設定されたアイコン６０５との表示位置の入れ替えを画面上で行う（Ｓ３０）。その後、画像表示制御装置２０は、非スワップモードへ遷移する（Ｓ３２）。このような操作によりフォルダアイコン６０２とアイコン６０５との表示位置の入れ替えを行うことができる。先に、アイコン６０５を選択し、次にフォルダアイコン６０２を選択しても、表示位置の入れ替えを行うことができる。
【００６８】
表示位置の入れ替え可能なアイコンは、ページ画像上の２つのアイコンに限定されるものではなく、フォルダ内アイコン画像４０３内の２つのアイコンであっても良いし、ページ画像上のアイコンとフォルダ内アイコン画像４０３内のアイコンとであっても良い。例えば、フォルダ内アイコン画像４０３内のアイコン４０６とアイコン４０８との入れ替えを行うこともできる。また、ページ画像２０５上のアイコン６０５とフォルダ内アイコン画像４０３内のアイコン４０４との入れ替えを行うこともできる。つまり、通常のアイコンまたはフォルダ内アイコン画像４０３が表示されているフォルダアイコンが選択された時点で（Ｓ３８でＹＥＳ）、画像表示制御装置２０はスワップモードに遷移し（Ｓ４０）、選択されたアイコンが第１アイコンとして設定される（Ｓ４２）。次に、選択されたアイコンが第２アイコンとして設定され（Ｓ２６でＹＥＳ、Ｓ２８）、第１アイコンと第２アイコンとの間で表示位置の入れ替えが行われ（Ｓ３０）、画像表示制御装置２０は非スワップモードに遷移する（Ｓ３２）。このような操作により、２つのアイコンの表示位置を入れ替えることができる。
【００６９】
次に、アイコンの空領域への移動について説明する。アイコンの空領域への移動は、ユーザが一のアイコンを選択した後に、アイコンが配置されていない空領域を選択することにより行われる。例えば、アイコン４０４をページ画像２０４のアイコンが表示されていないアイコン表示領域６０３に移動させる場合について説明する。ユーザは、リモコン３１のカーソル移動キー３２を操作してアイコン４０４上にカーソルを移動させ、決定キー３３を押す（Ｓ２０でＹＥＳ、Ｓ２４でＮＯ、Ｓ３８でＹＥＳ）。すると、画像表示制御装置２０はスワップモードに遷移する（Ｓ４０）。スワップモードに遷移した後、位置変更部２６は、選択されたアイコン４０４を第１アイコンとして設定する（Ｓ４２）。次に、ユーザは、リモコン３１のカーソル移動キー３２を操作してアイコン表示領域６０３上にカーソルを移動させ、決定キー３３を押す（Ｓ２０でＹＥＳ、Ｓ２４でＹＥＳ、Ｓ２６でＮＯ、Ｓ３４でＹＥＳ）。すると、位置変更部２６は、第１アイコンとして設定されたアイコン４０４を選択されたアイコン表示領域６０３に画面上で移動させる（Ｓ３６）。その後、画像表示制御装置２０は、非スワップモードへ遷移する（Ｓ３２）。このような操作によりアイコンを空領域に移動させることができる。なお、入れ替えることができるアイコンは通常のアイコンに限られずフォルダアイコンであっても良い。また、空領域は、ページ画像上のアイコン表示領域に限定されるものではなく、フォルダ内アイコン画像４０３上のアイコンが表示されていないアイコン表示領域４１０であっても良い。例えば、ページ画像２０５上のアイコン６０５をフォルダ内アイコン画像４０３上のアイコン表示領域４１０に移動させることもできる。また、ページ画像内でアイコンを移動させることもできるし、フォルダ内アイコン画像４０３内でアイコンを移動させることもできる。
【００７０】
（５．フォルダアイコンの名称変更）
フォルダアイコンにはフォルダアイコン作成時に名称が付けられている（図７、図５ＣのＳ４６）。例えば、最初、ゲームに関連するアイコンが複数含まれていたためにフォルダアイコンに「ゲーム」という名称をつけていたが、その後にフォルダアイコンの中味をゲームに関連するアイコンからニュースに関連するアイコンに変更した場合には、フォルダアイコンの名称を「ニュース」に変更したい場合がある。図１３を参照して、フォルダアイコンの名称を変更するには、ユーザは、リモコン３１のカーソル移動キー３２を操作してフォルダ内アイコン画像４０３のフォルダアイコンの名称部分にカーソル７０１を移動させ（図５ＡのＳ２、Ｓ４でＹＥＳ、Ｓ６）、その位置で決定キー３３を押す（Ｓ２０でＹＥＳ、Ｓ２４でＮＯ、Ｓ３８でＮＯ、Ｓ４４でＮＯ、Ｓ４８でＮＯ、Ｓ５２でＹＥＳ）。すると、第２表示制御部２３は、図１４に示すような名称入力画像７０２を画面上に表示する。ユーザは、名称入力画像７０２上でカーソル移動キー３２および決定キー３３を操作することにより名称を入力することができる。第２表示制御部２３は、フォルダアイコンの名称を入力された名称に変更する（Ｓ５４）。
【００７１】
なお、図１２に示すような画面において、ユーザが、リモコン３１のカーソル移動キー３２を操作してフォルダアイコン６０２にカーソルを移動させ、その位置でリモコン３１の決定キー３３を一定時間以上押し続ける操作を行なったとする。すると、削除制御部２７は、フォルダアイコン６０２と、フォルダアイコン６０２に含まれる全てのアイコンとを、ページ画像２０４およびフォルダ内アイコン画像４０３上から削除する。
【００７２】
なお、受信部２８がリモコン３１から受信した操作信号が決定キー３３またはカーソル移動キー３２以外のキーをユーザが押すことによりリモコン３１から送信された操作信号である場合には（Ｓ２０でＮＯ）、ユーザが押したキーに対する処理が実行される（Ｓ２２）。例えば、ユーザがリモコン３１の番組表キーを押した場合には、アイコンの編集作業が中断され、画面上に番組表が表示される。
【００７３】
［１−３．効果等］
以上説明したように、本実施の形態によると、複数のページ画像とフォルダ内アイコン画像とが共に画面上に表示される。このため、階層の異なるアイコンを同一画面上に表示することができる。よって、ユーザは、効率的にアイコンの編集作業を行うことができる。
【００７４】
また、ユーザがカーソル移動キーを操作することによりアイコンが表示されていないアイコン表示領域にカーソルを移動させ、決定キーを押すだけでフォルダアイコンを作成することができる。このため、限られたキーしか備えていないリモコンなどの入力装置を用いて効率的にアイコンの編集作業を行うことができる。
【００７５】
また、ユーザがアイコン一覧画像内のアイコンを選択することにより、そのアイコンを含むフォルダアイコンがハイライト表示される。このため、ユーザは、そのアイコンがどのページ画像のどのフォルダアイコンに含まれているのかを簡単に知ることができる。特に、フォルダアイコンが表示部３０の画面上に表示されていないような場合には、フォルダアイコンを探す手間が省ける。
【００７６】
また、２つのアイコンを連続して選択するという簡単な操作により２つのアイコンの表示位置を変更することができる。このため、限られたキーしか備えていないリモコンなどの入力装置を用いて効率的にアイコンの表示位置を変更することができる。
【００７７】
また、アイコンを選択した後に空領域を選択するという簡単な操作によりアイコンを移動させることができる。このため、限られたキーしか備えていないリモコンなどの入力装置を用いて効率的にアイコンの表示位置を変更することができる。
【００７８】
また、カーソル移動キーを操作して一のフォルダアイコンにカーソルを移動させた後に決定キーを長押しすることにより、その一のフォルダアイコンを削除することができる。このため、限られたキーしか備えていないリモコンなどの入力装置を用いて効率的にフォルダアイコンを削除することができる。
【００７９】
（他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。
【００８０】
そこで、以下、他の実施の形態を例示する。
【００８１】
例えば、図１２のようにフォルダ内アイコン画像４０３が表示されている状態において、ユーザが、リモコン３１のカーソル移動キー３２を操作してページ画像内の一のアイコンにカーソルを移動させ、その位置でリモコン３１の決定キー３３を一定時間以上押し続ける操作を行ったとする。上記一のアイコンをアイコン６０４とすると、リモコン３１はアイコン６０４を一定時間以上選択し続ける操作を示す操作信号を送信する。受信部２８がその操作信号を受信すると、位置変更部２６は、アイコン６０４をフォルダ内アイコン画像４０３内のアイコン表示領域４１０に移動させても良い。これにより、限られたキーしか備えていないリモコンなどの入力装置を用いて効率的にアイコンの表示位置を変更することができる。
【００８２】
また、図１２を参照して、ユーザが、リモコン３１のカーソル移動キー３２を操作してフォルダ内アイコン画像４０３内のアイコン４０４にカーソルを移動させ、その位置でリモコン３１の決定キー３３を一定時間以上押し続ける操作を行なったとする。リモコン３１はアイコン４０４を一定時間以上選択し続ける操作を示す操作信号を送信する。受信部２８がその操作信号を受信すると、位置変更部２６は、アイコン４０４をいずれかのページ画像上のアイコンが表示されていないアイコン表示領域（例えば、アイコン表示領域６０３）に移動させても良い。これにより、限られたキーしか備えていないリモコンなどの入力装置を用いて効率的にアイコンの表示位置を変更することができる。
【００８３】
また、上記説明で決定キー３３を一定時間以上押し続ける操作とあるのは、例えば、決定キー３３をダブルクリックする操作であっても良い。
【００８４】
また、フォルダアイコンの中にフォルダアイコンが含まれる構成であっても良い。この場合には、例えば、フォルダ内アイコン画像４０３内のフォルダアイコンを選択すると、第２表示制御部２３は、さらに、選択したフォルダアイコンに含まれるアイコンを表示するためのフォルダ内アイコン画像４０３を画面に表示する。つまり、画面上に２つのフォルダ内アイコン画像４０３を表示するようにしても良い。これにより、３つ以上の階層を跨ってアイコンの表示位置の入れ替えや移動を行うことができる。
【００８５】
また、アイコンの数が膨大になってくると、所望のアイコンにカーソルを移動させるために何度もリモコン３１のカーソル移動キー３２を押さなければならず、非常に手間がかかることがある。このため、画像表示制御装置２０がスワップモードに遷移した時点で次に選択されるであろうアイコンを予測して、ページ画像またはフォルダ内アイコン画像をスクロール表示し、予測したアイコンにカーソルを自動的に移動させるようにしても良い。これにより、予測が当たっていればユーザはリモコン３１の決定キー３３を押すだけでアイコンの位置の入れ替えを行うことができる。例えば、フォルダ内アイコン画像内のゲームに関連するアイコンが選択された時点で、ゲームに関連するアイコンが最も多く含まれているページ画像中の任意のゲームのアイコンにカーソルを移動させるようにしても良い。これにより、予測が当たっていればユーザによるスクロール操作の負担を解消することができる。
【００８６】
また、位置変更部２６は、アイコンの属性に基づいてアイコンを自動的に並べ替えても良い。例えば、位置変更部２６は、ゲームに関連するアイコンはできるだけ同一のページまたは近いページに配置されるように、アイコンを自動的に並べ替えても良い。
【００８７】
また、上述の実施の形態では、画像表示制御装置２０の一例として、アプリケーションを実行することができるＨＤＤレコーダ等の録画機器、テレビ、または携帯情報端末を挙げたが、画像表示制御装置２０はこれらに限定されるものではない。例えば、録画したビデオなどのコンテンツを再生することができるＨＤＤレコーダ等の録画機器、テレビ、または携帯情報端末であっても良い。この場合には、各アイコンはコンテンツに対応付けられている。
【００８８】
また、上述の実施の形態では、表示部３０の画面上に表示するアイコンは、ダウンロードアプリケーションを示すアイコンを例として説明したが、予め画像表示制御装置２０に記憶されたアプリケーションを示すアイコンであっても良い。
【００８９】
また、上記の画像表示制御装置２０は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、画像表示制御装置２０は、その機能を達成する。ここでコンピュータプログラムは、所定の機能を達成するために、コンピュータに対する指令を示す命令コードが複数個組み合わされて構成されたものである。
【００９０】
さらに、上記の画像表示制御装置２０を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。ＲＡＭには、コンピュータプログラムが記憶されている。マイクロプロセッサが、コンピュータプログラムに従って動作することにより、システムＬＳＩは、その機能を達成する。
【００９１】
さらにまた、上記の画像表示制御装置２０を構成する構成要素の一部または全部は、画像表示制御装置２０に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【００９２】
また、本開示は、上記に示す方法であるとしても良い。また、これらの方法をコンピュータにより実現するコンピュータプログラムであるとしても良いし、コンピュータプログラムからなるデジタル信号であるとしても良い。
【００９３】
さらに、本開示は、上記コンピュータプログラムまたは上記デジタル信号をコンピュータ読取可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したものとしても良い。また、これらの非一時的な記録媒体に記録されている上記デジタル信号であるとしても良い。
【００９４】
また、本開示は、上記コンピュータプログラムまたは上記デジタル信号を、電気通信回線、無線または有線通信回線、インターネットを代表とするネットワーク、データ放送等を経由して伝送するものとしても良い。
【００９５】
また、本開示は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【００９６】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【００９７】
なお、本開示に係る画像表示制御装置の必須の構成要素は、図１に示した画像表示制御装置２０における第１表示制御部２２、受信部２８および第２表示制御部２３である。その他の構成要素は、必ずしも画像表示制御装置に備えられている必要はない。
【００９８】
以上のように、本開示における技術の例示として、実施の形態を説明した。そのために、添付図面および詳細な説明を提供した。
【００９９】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１００】
また、上述の実施の形態は、本開示における技術を例示するためのものであるから、請求の範囲またはその均等の範囲において種々の変更、置き換え、付加、省略などを行うことができる。
【産業上の利用可能性】
【０１０１】
本開示は、アプリケーションの実行またはコンテンツの再生をすることができるＨＤＤレコーダ等の録画機器、テレビ、または携帯情報端末等に適用でき、特に、限られたキーしか備えられていない入力装置を用いて操作を行なう画像表示制御装置等に適用できる。
【符号の説明】
【０１０２】
１０  画像表示システム
２０  画像表示制御装置
２１  制御部
２２  第１表示制御部
２３  第２表示制御部
２４  第３表示制御部
２５  第４表示制御部
２６  位置変更部
２７  削除制御部
２８  受信部
２９  ネットワーク接続部
３０  表示部
３１  リモコン
３２  カーソル移動キー
３３  決定キー
１０１〜１０８、２０２、２０７〜２１３、４０４、４０６、４０８、６０４、６０５  アイコン
１１１、１１２  ボタン
２０１  アイコン一覧画像
２０３  チェックボックス
２０４〜２０６  ページ画像
３０１、４０１、４０５、５０１、７０１  カーソル
３１１、７０２  名称入力画像
４０２、６０２  フォルダアイコン
４０３  フォルダ内アイコン画像
４１０、６０３  アイコン表示領域
【図１】
0005870274.tif 000002
【図２】
0005870274.tif 000003
【図３】
0005870274.tif 000004
【図４】
0005870274.tif 000005
【図５Ａ】
0005870274.tif 000006
【図５Ｂ】
0005870274.tif 000007
【図５Ｃ】
0005870274.tif 000008
【図６】
0005870274.tif 000009
【図７】
0005870274.tif 000010
【図８】
0005870274.tif 000011
【図９】
0005870274.tif 000012
【図１０】
0005870274.tif 000013
【図１１】
0005870274.tif 000014
【図１２】
0005870274.tif 000015
【図１３】
0005870274.tif 000016
【図１４】
0005870274.tif 000017